(57)【要約】【課題】画像情報の詳細な特徴の変化に着目する必要性が高い場合に、ディスプレイの汚れを視認させる。【解決手段】画像編集画面２１に画像情報表示領域２２、画像編集禁止状態の画像編集操作部２３、汚れチェック終了釦２４を表示する。画像情報表示領域２２への出力に画像情報を含まない場合に、タッチパネルディスプレイ１０の画像情報表示領域２２に汚れ確認画像Ｘを表示することにより、操作者はタッチパネルディスプレイ１０上の指紋Ｆ等の汚れを視認できる。【選択図】図３
2010272003.tif 000002
【特許請求の範囲】
【請求項１】
画像情報を表示する情報端末装置であって、汚れ確認画像を記憶する汚れ確認画像記憶手段と、画像情報を表示する画像情報表示手段と、該画像情報表示手段に表示する画面を判定する画面判定手段と、該画面判定手段により前記画像情報を含む場合に前記画像情報を表示することなく前記画像情報表示手段に前記汚れ確認画像記憶手段に記憶した前記汚れ確認画像を表示する汚れ確認画像表示手段と、該汚れ確認画像表示手段を終了し、前記画像情報を表示する汚れ確認終了手段とを備えたことを特徴とする情報端末装置。
【請求項２】
前記画像情報表示手段はタッチパネルディスプレイとし、該タッチパネルディスプレイにタッチするタッチ回数を計数し記憶するタッチ回数計数手段と、閾値である確認タッチ回数を記憶する汚れ確認タッチ回数記憶手段と、前記確認タッチ回数を設定する汚れ確認タッチ回数設定手段とを備えたことを特徴とする請求項１に記載の情報端末装置。
【請求項３】
前記タッチ回数計数手段で計数した前記タッチ回数と前記汚れ確認タッチ回数記憶手段で記憶している前記確認タッチ回数とを比較するタッチ回数比較手段とを備えたことを特徴とする請求項２に記載の情報端末装置。
【請求項４】
前記画像情報表示手段が表示している表示時間を計時する汚れ確認時間計時手段と、閾値である汚れ確認時間を記憶する汚れ確認時間記憶手段と、前記汚れ確認時間を設定する汚れ確認時間設定手段とを備えたことを特徴とする請求項１に記載の情報端末装置。
【請求項５】
前記汚れ確認画像記憶手段に前記汚れ確認画像を設定する汚れ確認画像設定手段を備えたことを特徴とする請求項１に記載の情報端末装置。
【請求項６】
外部入力装置により操作したことを判定する操作検知部と、該操作検知部が外部入力装置の操作を検知すると前記汚れ確認画像表示手段を終了する汚れ確認終了手段とを備えたことを特徴とする請求項１に記載の情報端末装置。
【発明の詳細な説明】
【技術分野】
【０００１】
本発明は、画像情報を表示する表示手段を有する情報端末装置に関するものである。
【背景技術】
【０００２】
従来から、電子画像情報を表示する表示手段として、ディスプレイを有する情報端末装置が知られている。更に、このディスプレイには画像を表示する手段に加えて、操作者からの入力を操作する手段として用いることも可能なタッチパネルを採用しているものもある。
【０００３】
このタッチパネルを有する情報端末装置においては、操作者が電子画像情報を表示しているディスプレイにタッチして操作する必要があり、ディスプレイが汚れ易くなっている。
【先行技術文献】
【特許文献】
【０００４】
【特許文献１】特開２０００−１９４５０４号公報
【発明の概要】
【発明が解決しようとする課題】
【０００５】
この種のタッチパネルを有する情報端末装置においては、ディスプレイ上に情報端末装置の操作を要求する画面が表示される。そのため、通常では操作者はディスプレイ上に埃の蓄積や皮脂等による汚れが付着している状態において、画像情報を視認している。
【０００６】
また、特許文献１における情報端末装置においては、情報端末装置の電源を入れた状態で、所定時間タッチパネルからの入力信号を無効化し、その間に操作者がタッチパネルの汚れを拭き取る時間を設けている。この方法により、汚れの拭き取り作業中におけるタッチパネルへの接触による情報端末装置の誤動作を防止している。
【０００７】
しかし、画面情報が表示されているときに、操作者がディスプレイの汚れを判断することは極めて困難であり、ディスプレイの汚れに気付かない場合もある。
【０００８】
本発明の目的は、上述の問題点を解消し、例えば医用画像のように画像情報の詳細な特徴変化に着目する必要性が高い場合に、ディスプレイの汚れを気付かせることができる情報端末装置を提供することにある。
【課題を解決するための手段】
【０００９】
上記目的を達成するための本発明に係る情報端末装置は、画像情報を表示する情報端末装置であって、汚れ確認画像を記憶する汚れ確認画像記憶手段と、画像情報を表示する画像情報表示手段と、該画像情報表示手段に表示する画面を判定する画面判定手段と、該画面判定手段により前記画像情報を含む場合に前記画像情報を表示することなく前記画像情報表示手段に前記汚れ確認画像記憶手段に記憶した前記汚れ確認画像を表示する汚れ確認画像表示手段と、該汚れ確認画像表示手段を終了し、前記画像情報を表示する汚れ確認終了手段とを備えたことを特徴とする。
【発明の効果】
【００１０】
本発明に係る情報端末装置によれば、通常の画面から画像表示画面に遷移する際に、汚れ確認画像を表示することにより、操作者に対してディスプレイに付着した汚れであるのか、画像情報であるかを容易に判断させることができる。
【００１１】
特に、医用画像の確認を行う情報端末装置においては、撮影した画像に対して診断を行い易くするために画像情報の編集を行う場合がある。この場合に、ディスプレイが汚れていることを視認させ、清掃することにより、操作者が診断を誤る可能性を低減することができる。
【図面の簡単な説明】
【００１２】
【図１】実施例１の情報端末装置の構成図である。
【図２】画像選択画面の説明図である。
【図３】汚れ確認画像を表示した画像編集画面の説明図である。
【図４】画像情報を表示した画像編集画面の説明図である。
【図５】動作フローチャート図である。
【図６】実施例２の情報端末装置の構成図である。
【図７】基本操作選択画面の説明図である。
【図８】画像選択画面の説明図である。
【図９】汚れ確認条件設定画面の説明図である。
【図１０】汚れ確認画像選択画面の説明図である。
【図１１】動作フローチャート図である。
【図１２】汚れ確認ステップの詳細なフローチャート図である。
【図１３】実施例３の情報端末装置の構成図である。
【図１４】動作フローチャート図である。
【発明を実施するための形態】
【００１３】
本発明を図示の実施例に基づいて詳細に説明する。
【実施例１】
【００１４】
図１は実施例１における情報端末装置１の構成図であり、情報端末装置１の本体２内には情報端末装置１全体を制御するＣＰＵ３が内蔵されている。このＣＰＵ３には画面判定部４、操作検知部５、記憶部６、汚れ確認画像記憶部７が接続されている。更に本体２の外部には、画像表示装置８、外部入力装置９が配置され、画像表示装置８はＣＰＵ３、操作検知部５に接続され、外部入力装置９は操作検知部５に接続されている。
【００１５】
画像表示装置８の画面には、操作者が情報端末装置１の操作を行うＨＩＤ（Human Interface Device）であるタッチパネルディスプレイ１０から成る入力装置が用いられ、外部入力装置９もマウス・キーボード等のＨＩＤから成っている。ＣＰＵ３は操作検知部５を介して、操作者による画像表示装置８のタッチパネルディスプレイ１０及び外部入力装置９に対する操作内容を検知し、その操作内容に応じて演算処理を行う。
【００１６】
情報端末装置１が起動すると、ＣＰＵ３はタッチパネルディスプレイ１０に図２に示す画像選択画面１１を表示する。この画像選択画面１１には画像選択リスト１２と決定釦１３が表示され、画像選択リスト１２には記憶部６において記憶している画像情報のタイトル「画像１」、「画像２」、・・・を表示する。
【００１７】
画像選択リスト１２に表示された各タイトルの選択は互いに排他的になっており、１つのタイトルが選択状態で表示されると、他のタイトルは非選択状態となる。このため、操作者はタッチパネルディスプレイ１０のＨＩＤを介して画像選択リスト１２から１つの画像情報のタイトルのみを選択することができる。また、画像選択を決定する決定釦１３が選択されると、ＣＰＵ３は画面判定部４を介して選択したタイトルが画像情報を含むか否かを判定する。
【００１８】
ＣＰＵ３は選択したタイトルが画像情報を含むと判断した場合には、タッチパネルディスプレイ１０に図３に示す画像編集画面２１を表示する。この画像編集画面２１には、画像情報表示領域２２と、画像編集禁止状態の画像編集操作部２３と、汚れチェック終了釦２４を表示する。なお、画像編集操作部２３が画像編集禁止状態である場合には、操作検知部５により検知したＨＩＤからの画像編集操作部２３の操作内容を無効とする。
【００１９】
続いて、画像情報表示領域２２に例えば黒画像の汚れ確認画像Ｘを表示することで、操作者はタッチパネルディスプレイ１０上に浮き上がった指紋Ｆ等の汚れを視認できるので、操作者は必要に応じて汚れを拭き取る。そして、汚れチェック終了釦２４を選択すると、ＣＰＵ３は図４の画像編集画面２１において、画像情報表示領域２２に記憶部６に保存している画像情報のタイトルと一致する画像情報Ｐを表示する。
【００２０】
なお、図４においては、汚れチェック終了釦２４の代りに画像編集終了釦２５を表示すると共に、画像編集操作部２３は輝度、コントラスト、彩度の調整等の画像編集を可能な状態として表示する。
【００２１】
ＣＰＵ３は操作検知部５から検知した操作者の画像編集操作部２３における操作に従い、画像情報表示領域２２に表示する画像情報Ｐを調整して表示する。そして、画像編集終了釦２５の選択がなされると、ＣＰＵ３は記憶部６に調整した画像情報Ｐを記憶させる。
【００２２】
図５は上述の操作の汚れ確認動作のフローチャート図である。ステップＳ１は実施例１の動作フローの開始ステップであり、ＣＰＵ３は操作検知部５を介してＨＩＤからの情報端末装置１への操作を検知した場合に動作を開始する。
【００２３】
次に、ステップＳ２において、タッチパネルディスプレイ１０に表示する画像に画像情報Ｐが含まれているか否かの画面判定を行い、画像情報を含まない場合にはステップＳ１に戻り、画像情報Ｐを含む場合にはステップＳ３に進む。ステップＳ３において、ＣＰＵ３は画像編集画面２１の画像情報表示領域２２に、汚れ確認画像記憶部７に記憶した汚れ確認画像Ｘによる確認画像表示を行うと共に、画像編集操作部２３の画像編集操作を禁止状態とし、汚れチェック終了釦２４を表示する。
【００２４】
続いて、ステップＳ４において、汚れ確認を行った後に操作検知部５を介して、ＨＩＤによる汚れチェック終了釦２４の操作を検知すると、ステップＳ５に進む。ステップＳ５において、ＣＰＵ３は画像情報表示領域２２に記憶部６が記憶する画像選択リスト１２で選択された画像情報のタイトルと一致する画像情報Ｐを表示すると共に、ＣＰＵ３は画像編集操作部２３の画像編集操作禁止状態を解除する。また、画像編集画面２１の汚れチェック終了釦２４の表示を終了し、代りに画像編集終了釦２５を表示し、この画像編集終了釦２５が選択されるとステップＳ１に戻る。
【００２５】
上述のように、本実施例１の情報端末装置１においては、画像情報Ｐを表示する際に汚れ確認画像Ｘを表示するため、操作者は画像情報Ｐを視認する前に必ずタッチパネルディスプレイ１０の汚れを確認することができる。これにより、操作者はタッチパネルディスプレイ１０に付着した汚れの特徴を正確に識別することが可能となり、汚れを拭き取ることもできる。
【実施例２】
【００２６】
図６は実施例２の情報端末装置３１の構成図を示しており、実施例１と同一の部材には同一の符号を付している。情報端末装置３１は実施例１の情報端末装置１の構成に加え、本体２内にタッチ回数計数部３２、汚れ確認タッチ回数記憶部３３、汚れ確認時間計時部３４及び汚れ確認時間記憶部３５が内蔵され、これらはＣＰＵ３に接続されている。
【００２７】
この実施例２はタッチパネルディスプレイ１０にタッチする回数が多いほど画面が汚れ、また表示時間が多いほど同様に画面が汚れることを前提としている。
【００２８】
情報端末装置３１が起動すると、ＣＰＵ３はタッチパネルディスプレイ１０に図７に示す基本操作選択画面４１を表示し、この基本操作選択画面４１には画像編集釦４２と設定釦４３が表示されている。ＣＰＵ３は操作検知部５を介して、ＨＩＤによる画像編集釦４２の選択を検知すると、タッチパネルディスプレイ１０に図８に示す画像選択画面５１を表示する。この画像選択画面５１には、画像選択リスト５２、画像選択を決定する決定釦５３、図７に示す基本操作選択画面４１に戻る戻し釦５４が表示されると共に、画像選択リスト５２に記憶部６が記憶している画像情報のタイトルが表示される。
【００２９】
画像選択リスト５２に表示された各タイトルの選択は互いに排他的となっており、１つのタイトルが選択状態で表示されると、他のタイトルは非選択状態となる。このため、操作者は画像選択リスト５２から１つの画像情報のタイトルのみを選択することができる。
【００３０】
また、決定釦５３が選択されると、ＣＰＵ３は画面判定部４を介してタッチパネルディスプレイ１０に表示するタイトルの画面に、画像情報を含んでいるか否かを判定する。画像情報を含むと判断した場合には、ＣＰＵ３は実施例１と同様にタッチパネルディスプレイ１０に図３に示すように画像編集画面２１に汚れ確認画像Ｘを表示する。これにより、操作者はタッチパネルディスプレイ１０上の汚れを視認することができる。
【００３１】
また、画像情報を含まないと判断した場合には、ＣＰＵ３はタッチパネルディスプレイ１０に図８に示す画像選択画面５１を表示する。
【００３２】
ＣＰＵ３は操作検知部５を介して戻し釦５４の選択を検知すると、図７に示す基本操作選択画面４１に戻る。また、ＣＰＵ３は基本操作選択画面４１における設定釦４３の選択を検知すると、タッチパネルディスプレイ１０に図９に示す汚れ確認条件設定画面６１を表示する。この汚れ確認条件設定画面６１には、汚れ確認タッチ回数設定をする汚れタッチ回数設定欄６２ａと、汚れ確認タッチ回数設定を減少させる減少釦６２ｂと、汚れ確認タッチ回数設定を増加させる増加釦６２ｃとが設けられている。
【００３３】
また、汚れ確認条件設定画面６１には、汚れ確認時間設定をする汚れ確認時間設定欄６３ａと、汚れ確認時間設定を減少させる減少釦６３ｂと、汚れ確認時間設定を増加させる増加釦６３ｃが設けられている。更に、この汚れ確認条件設定画面６１には、汚れ確認画像選択釦６４、汚れ確認の条件を決定する決定釦６５、図７に示す基本操作選択画面４１に戻る戻し釦６６が表示される。
【００３４】
ＣＰＵ３は汚れ確認タッチ回数設定欄６２ａに、汚れ確認タッチ回数記憶部３３に記憶した値を表示する。操作検知部５を介して増加釦６２ｃの選択を検知すると、汚れ確認タッチ回数設定欄６２ａに表示した値を１増加して表示する。同様に、減少釦６２ｂの選択を検知すると、汚れ確認タッチ回数設定欄６２ａに表示した値を１減少して表示する。
【００３５】
更に、ＣＰＵ３は汚れ確認時間設定欄６３ａに汚れ確認時間記憶部３５に記憶した汚れ確認時間を表示する。操作検知部５を介して減少釦６３ｂの選択を検知すると、汚れ確認時間設定欄６３ａに表示した値を１減少して表示する。同様に、増加釦６３ｃの選択を検知すると、汚れ確認時間設定欄６３ａに表示した値を１増加して表示する。
【００３６】
ＣＰＵ３は操作検知部５を介して決定釦６５の選択を検知すると、タッチパネルディスプレイ１０に基本操作選択画面４１を表示する。続いて、ＣＰＵ３は汚れ確認タッチ回数記憶部３３に汚れ確認タッチ回数設定欄６２ａに表示した設定確認タッチ回数、汚れ確認時間記憶部３５に汚れ確認時間設定欄６３ａに表示した設定汚れ確認時間をそれぞれ記憶する。
【００３７】
ＣＰＵ３は操作検知部５を介して戻し釦６６の選択を検知すると、タッチパネルディスプレイ１０に図７に示す基本操作選択画面４１を表示する。また、ＣＰＵ３は操作検知部５を介して汚れ確認画像選択釦６４の選択を検知すると、タッチパネルディスプレイ１０に図１０に示す汚れ確認画像選択画面７１を表示する。
【００３８】
図１０に示す汚れ確認画像選択画面７１には、パターンが異なる汚れ確認画像Ｘ１〜Ｘ４を表示すると共に、汚れの状態に応じて汚れ確認画像Ｘ１〜Ｘ４をそれぞれ選択する選択釦７２〜７５が表示される。また、汚れ確認画像選択画面７１にはタイトル選択釦７６、汚れ確認画像を決定する決定釦７７、戻し釦７８が表示される。選択釦７２〜７５は互いに排他的とされ、１つの選択釦が選択状態で表示されると、他の選択釦は非選択状態になる。このため、操作者は選択釦７２〜７５より１つの汚れ確認画像Ｘ１〜Ｘ４を選択する。
【００３９】
ＣＰＵ３は操作検知部５を介してタイトル選択釦７６の選択を検知すると、タッチパネルディスプレイ１０に図示しない画像選択画面を表示する。続いて、ＣＰＵ３は選択釦７２〜７５のうち、選択状態となっている選択釦を判断し、選択状態となっている選択釦に対応する汚れ確認画像Ｘ１〜Ｘ４の１つを汚れ確認画像設定として汚れ確認画像記憶部７に記憶する。
【００４０】
例えば、操作者が汚れ確認画像選択画面７１の操作に従って、選択釦７５を選択し、汚れ確認画像Ｘ４を選択すると、ＣＰＵ３は汚れ確認画像記憶部７に汚れ確認画像Ｘ４を記憶させる。ＣＰＵ３が操作検知部５を介して決定釦７７の選択を検知した場合には、タッチパネルディスプレイ１０に図９に示す汚れ確認条件設定画面６１を表示する。ＣＰＵ３が操作検知部５を介して戻し釦７８の選択を検知した場合には、タッチパネルディスプレイ１０に図９に示す汚れ確認条件設定画面６１を表示する。
【００４１】
図１１は本実施例２におけるタッチパネルディスプレイ１０の汚れ確認動作のフローチャート図であり、図５のフローチャート図に、タッチ回数比較を行うステップＳ１１及び汚れ確認時間の計測を行うステップＳ１２を追加している。ＣＰＵ３は操作検知部５を介して操作者がタッチパネルディスプレイ１０をタッチするごとに、タッチ回数計数部３２でその回数を計数し、画面を表示している表示時間を汚れ確認時間計時部３４により計時する。
【００４２】
ステップＳ１１はタッチ回数を比較するステップであり、ＣＰＵ３はタッチ回数計数部３２に記憶した値と、汚れ確認タッチ回数記憶部３３に記憶した値を比較する。タッチ回数が汚れ確認タッチ回数記憶部３３の閾値である確認タッチ回数よりも大きい場合にはステップＳ１２に進む。タッチ回数が、汚れ確認タッチ回数記憶部３３の確認タッチ回数よりも小さい場合にはステップＳ１に戻る。
【００４３】
なお、図１２は図１１の汚れ確認のステップＳ１２の詳細なフローチャート図である。ステップＳ２１で開始し、ステップＳ２２で汚れ確認開始をする。ステップＳ２２は実施例１におけるステップＳ３で行う処理に加え、ＣＰＵ３が汚れ確認時間計時部３４による汚れ確認時間の計時を開始させる処理を追加している。
【００４４】
続いて、ステップＳ２３において汚れ確認時間を比較する。ＣＰＵ３は汚れ確認時間計時部３４で計時した表示時間と、汚れ確認時間記憶部３５に記憶した閾値である汚れ確認時間とを比較する。表示時間が汚れ確認時間記憶部３５の確認時間よりも大きい場合にはステップＳ２５に進む。しかし、表示時間が表示時間汚れ確認時間記憶部３５の確認時間よりも小さい場合にはステップＳ２４に進む。
【００４５】
ステップＳ２４は汚れ確認待機のステップであり、汚れチェック終了釦２４の選択を待機する。ＣＰＵ３が操作検知部５を介して汚れチェック終了釦２４の操作を検知した場合には、ステップＳ２５に進む。しかし、ＣＰＵ３が操作検知部５を介して汚れチェック終了釦２４の操作を検知していない場合にはステップＳ２３に戻る。ステップＳ２５は汚れ確認終了のステップであり、ＣＰＵ３は汚れ確認時間計時部３４による表示時間の計時を終了し、タッチ回数計数部３２の値を０にした後に、ステップＳ２６に進んで終了する。
【００４６】
本実施例２の情報端末装置３１においては、操作者がタッチパネルディスプレイ１０でのタッチ操作の回数が、汚れ確認タッチ回数記憶部３３に記憶した確認タッチ回数を上回った場合に、ＣＰＵ３は汚れ確認画像Ｘを表示する。また、操作者が汚れ確認を行うべき汚れ確認時間計時部３４による表示時間が、汚れ確認時間記憶部３５に記憶した汚れ確認時間を上回った場合に、ＣＰＵ３は汚れ確認画像Ｘを表示する。
【００４７】
このため、操作者はタッチパネルディスプレイ１０の汚れが蓄積されたと考えられる状態でのみ、汚れ確認を行うことができ、本実施例２は実施例１よりも円滑な操作ができる。
【実施例３】
【００４８】
図１３は実施例３における情報端末装置８１の構成図を示しており、実施例１、２と同一の部材には同一の符号を付している。情報端末装置８１の構成は実施例２の情報端末装置３１に対し、画面判定部４の代りに操作判定部８２が設けられている。
【００４９】
図１４は本実施例３で行う処理を表すフローチャート図を示し、実施例２に示す画面判定のステップＳ２の代りに、操作部判定を行うステップＳ３１が設けられている。ステップＳ３１では、操作判定部８２がＨＩＤで発生した操作が画像編集画面２１の画像編集操作部２３であるかを判定する。
【００５０】
ＣＰＵ３が操作検知部５を介して画像編集操作部２３への操作を検知した場合に、ステップＳ１１のタッチ回数の比較を行う。また、ＣＰＵ３が操作検知部５を介して画像編集操作部２３以外の外部入力装置９からの操作を検知した場合には、ステップＳ１に移動する。
【００５１】
上述したように、実施例３で使用する情報端末装置８１は、操作者が画像編集操作部２３への処理を行った場合にのみ動作する。このため、操作者が特に画像情報の変化を確認する場合にのみ、汚れ確認を行うことができるため、実施例２よりも円滑に使用することができる。
【００５２】
以上、本発明の好ましい実施例について説明したが、本発明はこれらの実施例に限定されないことは云うまでもなく、その要旨の範囲内で種々の変形及び変更が可能である。
【符号の説明】
【００５３】
１、３１、８１  情報端末装置
２  本体
３  ＣＰＵ
４  画面判定部
５  操作検知部
６  記憶部
７  汚れ確認画像記憶部
８  画面表示装置
９  外部入力装置
１０  タッチパネルディスプレイ
１１、５１  画像選択画面
２１  画像編集画面
２２  画像情報表示領域
２３  画像編集操作部
３２  タッチ回数計数部
３３  汚れ確認タッチ回数記憶部
３４  汚れ確認時間計時部
３５  汚れ確認時間記憶部
４１  基本操作選択画面
６１  汚れ確認条件設定画面
７１  汚れ確認画像選択画面
８２  操作判定部
Ｘ、Ｘ１〜Ｘ４  汚れ確認画像
【図１】
2010272003.tif 000003
【図２】
2010272003.tif 000004
【図３】
2010272003.tif 000005
【図４】
2010272003.tif 000006
【図５】
2010272003.tif 000007
【図６】
2010272003.tif 000008
【図７】
2010272003.tif 000009
【図８】
2010272003.tif 000010
【図９】
2010272003.tif 000011
【図１０】
2010272003.tif 000012
【図１１】
2010272003.tif 000013
【図１２】
2010272003.tif 000014
【図１３】
2010272003.tif 000015
【図１４】
2010272003.tif 000016